(57)【要約】【課題】  より節電が可能な空気清浄装置を提供する。【解決手段】  空気清浄装置は、送風手段と、所定空間内の空気の汚れ状態を表す汚れ情報を検出する汚れ情報検出手段と、前記汚れ情報に基づいて、前記送風手段を制御する第１のモードと、所定の周期にて、前記送風手段および前記汚れ情報検出手段の起動と停止とを繰り返す第２のモードとを切替えるモード切替手段と、を有する。【選択図】  図１
2020094750.tif 000002
【特許請求の範囲】
【請求項１】
送風手段と、
所定空間内の空気の汚れを検出する汚れ情報検出手段と、
前記汚れ情報検出手段により検出された汚れ情報に基づいて、前記送風手段を制御する第１のモードと、所定の周期にて、前記送風手段および前記汚れ情報検出手段の起動と停止とを繰り返す第２のモードとを切替えるモード切替手段と、
を有する空気清浄装置。
【請求項２】
前記第２のモードにおいて、前記汚れ情報検出手段を起動した所定の時間後に前記送風手段を起動する、請求項１に記載の空気清浄装置。
【請求項３】
前記第２のモードにおける前記汚れ情報検出手段の感度が、前記第１のモードにおける前記汚れ情報検出手段の感度よりも高く設定されている、請求項１または２に記載の空気清浄装置。
【請求項４】
前記汚れ情報検出手段の感度を段階的に下げた場合の前記汚れ情報検出手段の検出結果に基づいて、前記汚れの種類を判定する汚れ判定手段を備える、請求項３に記載の空気清浄装置。
【請求項５】
前記第２モードにおいて、前記送風手段を運転可能な最低回転数で制御する、請求項１〜４のいずれか１項に記載の空気清浄装置。
【請求項６】
前記汚れ情報検出手段の検出した汚れが所定値以上の場合、前記モード切替手段は、前記第２のモードから前記第１のモードに切り替える、請求項１〜５のいずれか１項に記載の空気清浄装置。
【請求項７】
前記空気清浄装置と同じ空間に設置された連携機器が前記空間の空調を行っている場合、前記第２のモードにおいて前記送風手段を停止する、請求項１〜６のいずれか１項に記載の空気清浄装置。
【請求項８】
前記連携機器に設けられた連携機器汚れ情報検出手段が所定値以上の汚れを検出した場合、前記モード切替手段は、前記第１のモードから前記第２のモードに切り替える、請求項７に記載の空気清浄装置。
【請求項９】
さらに、前記汚れ情報検出手段が所定値以上の汚れを検出した場合に前記汚れを報知する報知手段を備え、
前記汚れ判定手段の判定結果に基づいて、報知手段は、所定の通信端末のみに報知する、請求項４に記載の空気清浄装置。
【発明の詳細な説明】
【技術分野】
【０００１】
本発明は、空気清浄装置に関する。
【背景技術】
【０００２】
例えば、特許文献１には、待機運転中に、汚れセンサを常時通電し、この汚れセンサの出力に応じて送風手段を制御する空気清浄装置が開示されている。
【先行技術文献】
【特許文献】
【０００３】
【特許文献１】特開２０１４−１５２９９５号公報
【発明の概要】
【発明が解決しようとする課題】
【０００４】
しかしながら、特許文献１の空気清浄装置は、待機運転時に汚れセンサを常時通電しているため、消費電力が増大してしまう。本発明の一形態は、より節電が可能な空気清浄装置を提供することを目的とする。
【課題を解決するための手段】
【０００５】
本発明の一形態の空気清浄装置は、送風手段と、所定空間内の空気の汚れ状態を表す汚れ情報を検出する汚れ情報検出手段と、前記汚れ情報に基づいて、前記送風手段を制御する第１のモードと、所定の周期にて、前記送風手段および前記汚れ情報検出手段の起動と停止とを繰り返す第２のモードとを切替えるモード切替手段と、を有する。
【図面の簡単な説明】
【０００６】
【図１】第１の実施形態にかかる空気清浄装置の一例を示す図である。
【図２】第１の実施形態にかかる空気清浄装置の一例を示す外観図である。
【図３】図２の空気清浄装置の内部構成を示す側面断面図である。
【図４】第１の実施形態にかかる空気清浄装置の制御部の機能的構成の一例を示す図である。
【図５】図１に示す空気清浄装置の制御部の機能的構成の一例を示す図である。
【図６】待機モードにおける空気清浄装置の動作のタイミングチャートの例である。
【図７】第１の実施形態の変形例にかかる空気清浄装置の制御部の機能的構成の一例を示す図である。
【図８】待機モードにおいて、汚れ判定を行う場合の空気清浄装置の動作のタイミングチャートの例である。
【図９】第２の実施形態にかかる空気清浄装置および連携機器の一例を示す図である。
【図１０】第２の実施形態にかかる連携機器における制御部の機能的構成の一例を示す図である。
【図１１】第２の実施形態にかかる空気清浄装置における制御部の機能的構成の一例を示す図である。
【発明を実施するための形態】
【０００７】
以下、本発明の実施形態について、図面を参照しつつ説明する。なお、図面については、同一又は同等の要素には同一の符号を付し、重複する説明は省略する。
【０００８】
（第１の実施形態）
図１は、本実施の形態に係る空気清浄装置１０１の制御部１０４を中心とした主な構成の一例を示す図である。空気清浄装置１０１は、例えば、制御部１０４、記憶部１０５、ファン（送風手段）１０２、ニオイセンサ（汚れ情報検出手段）１０３を含む。ファン１０２、ニオイセンサ１０３についての詳細については、後述する。また、空気清浄装置１０１は、上記各部の他に、例えば、後述の風向板４ａ、清掃部１２、加湿部１５、イオン発生部１７等を含み、それぞれ制御部１０４に接続される。
【０００９】
次に、本実施形態に係る空気清浄装置１０１の具体的構成の一例について説明する。図２は、本実施形態に係る空気清浄装置１０１の外観を示す前面図である。図３は、図２における空気清浄装置１０１の側面断面図である。本実施形態における空気清浄装置１０１は、上記空気清浄装置１０１は、ユーザーの居室等の空間に設置され、当該空間の浄化を行う。
【００１０】
空気清浄装置１０１は、筐体２の前面上部に吹出口３を有し、筐体２の上面に吹出口４及びスイッチ・ボタン等を含む操作部５を有する。吹出口３には、風向を調整する風向板３ａを有する。吹出口４には、風向を調整する風向板４ａを有する。筐体２の背面には、背面パネル６を有する。背面パネル６は、筐体２の背面に着脱可能に取り付けられ、筐体２の背面の開口部２ａを覆っている。背面パネル６には、吸込口７を有する。吸込口７は、例えば網目状に形成される開口から成る。
【００１１】
筐体２の吹出口３の近傍には、表示部８が設けられる。表示部８は、例えば、空気中の汚れ度、温度、湿度等を表示するものである。
【００１２】
筐体２の内部には、吸込口７から吹出口３及び吹出口４に向けて空気が流通する送風路９が設けられる。送風路９には、吸込口７から吹出口３及び吹出口４に向けて順に、プレフィルタ１１、清掃部１２、脱臭フィルタ１３、集塵フィルタ１４、加湿部１５、ファン１０２、イオン発生部１７が設けられる。
【００１３】
送風路９は、イオン発生部１７の流通方向下流側において分岐しており、吹出口３及び吹出口４に連通される。ファン１０２は、ファンモータ１０２ａにより駆動されるシロッコファン等の遠心ファンにより形成され、軸方向に空気を吸込んで周方向に空気を送り出す。ファン１０２は、ファンの回転中心が脱臭フィルタ１３及び集塵フィルタ１４の下部寄りとなるように配置されている。
【００１４】
プレフィルタ１１は、ファン１０２からの吸引力により、通過する空気中の塵埃（粗塵）を捕集するためのものである。プレフィルタ１１は、ポリプロピレン等のシート状のメッシュにより形成される。プレフィルタ１１は、吸込口７に面するように背面パネル６の内側（筐体２と面する側）に設けられる。
【００１５】
脱臭フィルタ１３は、ファン１０２からの吸引力により、通過する空気中の臭気成分を吸着して空気を脱臭するためのものである。脱臭フィルタ１３は、ハニカム状に形成され、筐体２の背面に設けられる開口部２ａに収納される。
【００１６】
集塵フィルタ１４は、ファン１０２からの吸引力により、通過する空気中の塵埃、具体的には、微細な塵埃や所定粒径（例えば、３μｍ）よりも小さい粒径のＰＭ２．５等の微小粒子を捕集するためのものである。集塵フィルタ１４は、ＨＥＰＡフィルタから成り、濾材（図示しない）を覆うように枠材（図示しない）がホットメルトにより溶着される。集塵フィルタ１４は、筐体２の背面に設けられる開口部２ａに、脱臭フィルタ１３と並べて収納される。
【００１７】
加湿部１５は、ファン１０２からの吸引力により、通過する空気を加湿するためのものである。加湿部１５は、水を溜めるトレイ１５ａと、トレイ１５ａ内の水に下部を浸漬して配置される加湿フィルタ１５ｂから構成される。加湿部１５は、加湿フィルタ１５ｂに風を吹き付けることで、加湿フィルタ１５ｂに含まれた水を気化させて空気を加湿している。
【００１８】
イオン発生部１７は、高圧電圧の印加によりイオンを発生するものである。イオン発生部１７により生成されるイオンは、ファン１０２の気流にのって、吹出口３及び吹出口４からそれぞれ外部に吹き出される。
【００１９】
本実施形態の空気清浄装置１０１では、例えば、操作部５においてユーザーが操作することにより、通常運転、節電運転の等の運転モードが選択され、運転モードに応じた運転が行われる。上記通常運転は、例えば、空気清浄装置１０１が設置された空間の空気を循環させ、空気の浄化を行う運転である。
【００２０】
節電運転は、例えば、通常モード（第１のモード）と、待機モード（第２のモード）とが切り替わるようになっている。以下、節電運転についてより詳細に説明する。
【００２１】
図４は、図１に示す空気清浄装置１０１の制御部１０４の機能的構成の一例を示す図である。図４に示すように、空気清浄装置１０１の制御部１０４は、例えば、汚れ情報取得部４０１、モード切替部４０２、運転制御部４０３を含む。
【００２２】
汚れ情報取得部４０１は、例えば、空気清浄装置１０１のニオイセンサ１０３で検出された汚れ情報を取得する。なお、本実施形態においては、汚れ情報検出手段としてニオイセンサ１０３を挙げているが、これに限られるものではなく、例えば、汚れとして、ほこり、煙、ＰＭ２．５、花粉等の粒子を検出するセンサであってもよい。
【００２３】
モード切替部４０２は、汚れ情報に基づいて、例えば、通常モード（第１モード）と、待機モード（第２モード）とを切替える。より具体的には、モード切替部４０２は、例えば、ニオイセンサ１０３の出力値が所定値以上の場合には通常モードに、ニオイセンサ１０３の出力値が前記所定値未満の場合には待機モードに、切り替える。なお、ニオイセンサ１０３の出力値が所定値以上の場合は空気清浄装置１０１が設置された空間の空気が汚れており、一方、所定値未満の場合は上記空間の空気がきれいな状態である。
【００２４】
そして、運転制御部４０３は、例えば、モード切替部４０２で切替えられた所定のモードで、ファン１０２、ニオイセンサ１０３を制御する。
【００２５】
上記通常モードは、例えば、汚れ情報に基づいて、運転制御部４０３が少なくともファン１０２を制御し、空気を浄化する運転モードである。なお、上記通常モードでは、ニオイセンサ１０３は常時動作させて汚れ情報を常時取得するように構成しても、所定の間隔で起動および停止を繰り返して間欠的に汚れ情報を取得するように構成してもよい。
【００２６】
上記待機モードとは、所定の周期にて、運転制御部４０３がファン１０２およびニオイセンサ１０３を制御し、ファン１０２およびニオイセンサ１０３の起動および停止を繰り返す運転モードである。このようにファン１０２の起動および停止を繰り返すことにより、ファン１０２の停止時に静音化し、停止時の電力を節電することができる。また、ニオイセンサ１０３の起動および停止を繰り返すことにより、ニオイセンサ１０３の停止時の電力を節電することができる。なお、ファン１０２の起動および停止の周期と、ニオイセンサ１０３の起動および停止の周期とは、一致していてもよく、あるいは、異なっていてもよい。ファン１０２における周期と、ニオイセンサ１０３における周期とが異なる場合としては、例えば、ファン１０２とニオイセンサ１０３との間で、起動および／または停止のタイミングに時間差があることが挙げられる。また、ファン１０２およびニオイセンサ１０３の一方のみで、起動および停止を繰り返してもよい。
【００２７】
また、この待機モードにおいては、空気の浄化は特に行われなくてもよく、ファン１０２の回転数を抑えることが好ましく、運転可能な最低回転数で制御することが特に好ましい。このように、ファン１０２の回転数を抑えつつ、空気清浄装置１０１が設置された空気をニオイセンサ１０３に取り込むことにより、節電および静音化しながら、空気清浄装置１０１を設置する空間内の汚れ情報等の空気情報を取得することができる。
【００２８】
次に、本実施形態における空気清浄装置１０１における処理のフローの一例について説明する。図５は、本実施形態における空気清浄装置１０１の処理のフローの一例を示す図である。
【００２９】
Ｓ１０１において、汚れ情報取得部４０１は、ニオイセンサ１０３が検出した汚れ情報を取得する。Ｓ１０２において、モード切替部４０２は、上記汚れ情報に基づいて、通常モードと待機モードとのいずれかに切替える。より具体的には、モード切替部４０２は、汚れが所定値以上、つまり、ニオイセンサ１０３が検出した出力値が所定値以上（Ｙｅｓ）の場合には、通常モードに切り替える。そして、Ｓ１０３において運転制御部４０３が通常モードで運転する。一方、Ｓ１０２においてニオイセンサ１０３の出力値が所定値未満（Ｎｏ）の場合には、待機モードに切り替え、Ｓ１０４において待機モードで運転される。さらにＳ１０３における通常モードで運転中またはＳ１０４における待機モードで運転中では、Ｓ１０１に戻る。なお、本実施形態は、上記フローに限定されるものではなく、種々の変形が可能である。
【００３０】
ここで、上記待機モードについて、より詳細に説明する。図６（１）〜（４）は、第１〜第４の待機モードにおける、ファン１０２の起動／停止、回転数、ニオイセンサ１０３の起動／停止、感度との関係をタイミングチャートである。なお、本実施形態において運転制御部４０３は、例えば、ファン１０２の回転数を「高」「標準」「低」の３段階、ニオイセンサ１０３の感度を「高」「標準」「低」の３段階で制御する。なお、起動／停止等の時間は、例えば計時部で計測される。
【００３１】
第１の待機モードでは、図６（１）に示すように、所定の周期Ｔにおいて、時間ｔ１にファン１０２を回転数「低」で起動し、ニオイセンサ１０３を感度「高」で起動する。ファン１０２の回転数「低」は、例えば、ファン１０２を運転できる最低の回転数である。また、時間ｔ２にファン１０２およびニオイセンサ１０３を停止する。時間ｔ２から時間ｔ３まではファン１０２およびニオイセンサ１０３を停止したままである。そして、時間ｔ３から所定の周期Ｔの動作を繰り返す。この例では、ファン１０２およびニオイセンサ１０３を停止している時間ｔ２〜ｔ３の期間の省電力化を図ることができる。また、ファン１０２を最低の回転数で運転し、さらに連続して動作させていないため、静音効果が得られる。さらに、ニオイセンサ１０３の感度を「高」に設定しているため、ファン１０２の回転数を低くしても、ニオイの検知を良好に行うことができる。
【００３２】
第２の待機モードでは、図６（２）に示すように、所定の周期Ｔにおいて、時間ｔ１にニオイセンサ１０３を感度「高」で起動した後、所定の間隔（ｔ１〜ｔ２）を空けて、時間ｔ２にファン１０２を回転数「低」で起動する。そして、時間ｔ３にファン１０２を停止し、時間ｔ４にニオイセンサ１０３を停止する。時間ｔ４〜ｔ５まではファン１０２およびニオイセンサ１０３を停止したままである。そして、時間ｔ５から所定の周期Ｔの動作を繰り返す。この例では、ニオイセンサ１０３を起動した後、時間ｔ１〜ｔ２のファンを起動させていない期間で、ニオイセンサ１０３の感度を安定させることができる。これにより、ファン起動時におけるセンサの誤検知（誤作動）を防止することができる。また、時間ｔ３〜ｔ４の期間は、ファン１０２が停止した間もニオイを検知することができる。
【００３３】
第３の待機モードは、図６（３）に示すように、所定の周期Ｔにおいて、時間ｔ１にファン１０２を回転数「高」で起動し、ニオイセンサ１０３を感度「高」で起動する。時間ｔ２にファン１０２を回転数「標準」に下げ、さらに時間ｔ３にファン１０２を回転数「低」に下げる。そして、時間ｔ４にファン１０２およびニオイセンサ１０３を停止する。時間ｔ４〜ｔ５まではファン１０２およびニオイセンサ１０３を停止したままである。そして、時間ｔ５から所定の周期Ｔの動作を繰り返す。このようにファン１０２を回転数「高」で起動することにより、室内の空気を早く撹拌することができ、より早期にニオイセンサ１０３での汚れの検出が可能となる。
【００３４】
第４の待機モードは、図６（４）に示すように、所定の周期Ｔにおいて、時間ｔ１にニオイセンサ１０３を感度「高」で起動する。時間ｔ２にファン１０２を回転数「高」で起動する。時間ｔ３にファン１０２を回転数「標準」に下げ、さらに時間ｔ４にファン１０２を回転数「低」に下げる。そして、時間ｔ５にファン１０２を停止し、時間ｔ６にニオイセンサ１０３を停止する。時間ｔ６〜ｔ７まではファン１０２およびニオイセンサ１０３を停止したままである。そして、時間ｔ７から所定の周期Ｔの動作を繰り返す。これにより、ファン起動時におけるセンサの誤検知（誤作動）を防止するとともに、早期にニオイセンサ１０３での汚れの検出が可能となる。
【００３５】
本実施形態によれば、待機モードにおいて、所定の周期にて、運転制御部４０３がファン１０２およびニオイセンサ１０３を制御し、ファン１０２およびニオイセンサ１０３の起動および停止を繰り返すため、ファン１０２およびニオイセンサ１０３を停止時の電力を節電することができる。さらに、ファン１０２を停止することにより、静音化することができる。
【００３６】
また、本実施の形態において、例えば、下記変形例のように構成してもよい。図７は、第１の実施形態の変形例における制御部１０４の機能的構成について説明するための図である。図７に示すように、本変形例においては、例えば、更に、汚れ判定部７０１、報知部７０２を有する。
【００３７】
汚れ判定部７０１は、汚れ情報取得部４０１で取得された汚れ情報に基づいて、汚れの種類を判定する。汚れの種類は、例えば汚れの原因を示す。この汚れの原因は、例えば、汚れがニオイであれば、排泄物、洗濯物等のニオイの発生源であり、例えば汚れが粒子によるものであれば、ＰＭ２．５、煙等の粒子の種類等である。また、例えば、異なる複数のセンサを用いて、汚れの種類を判定するように構成してもよい。
【００３８】
さらに、本実施形態のように１つのニオイセンサ１０３の場合、汚れ判定部７０１における判定の例を説明する。図８は、汚れ判定部７０１において、汚れの種類を判定するための、第５、第６の待機モードにおけるタイミングチャートである。
【００３９】
第５の待機モードは、図８（５）に示すように、所定の周期Ｔにおいて、時間ｔ１にファン１０２を回転数「低」で起動し、同時にニオイセンサ１０３を感度「高」で起動する。そして、時間ｔ２にニオイセンサ１０３の感度を「標準」に下げ、さらに時間ｔ３にニオイセンサ１０３の感度を「低」に下げる。その後、時間ｔ４にファン１０２およびニオイセンサ１０３を停止する。時間ｔ４〜ｔ５まではファン１０２およびニオイセンサ１０３を停止したままである。そして、時間ｔ５から所定の周期Ｔの動作を繰り返す。この例では経過時間とともに、段階的にニオイセンサ１０３の感度を下げる。そのため、時間ｔ３〜ｔ４において感度「低」でニオイを検知した場合、通常時間の経過とともに拡散して消えていくニオイが時間ｔ１〜ｔ４にわたって長時間消えないことを示し、時間ｔ３〜ｔ４においてもニオイの原因が何らかの形で残っていると考えられる。したがって、固形物がニオイの原因であると考えられ、汚れ判定部７０１は、ｔ１〜ｔ４においてニオイセンサ１０３が高、標準、低のいずれの感度でもニオイを検出した場合に、汚れの種類として、例えば排泄物であると判定する。
【００４０】
第６の待機モードは、図８（６）に示すように、所定の周期Ｔにおいて、時間ｔ１にニオイセンサ１０３を感度「高」で起動し、時間ｔ２にファン１０２を回転数「低」で起動する。そして、時間ｔ３にニオイセンサ１０３の感度を「標準」に下げ、さらに時間ｔ４にニオイセンサ１０３の感度を「低」に下げる。その後、時間ｔ５にファン１０２を停止する。ついで、時間ｔ６にニオイセンサ１０３を停止する。時間ｔ６〜ｔ７まではファン１０２およびニオイセンサ１０３を停止したままである。そして、時間ｔ７から所定の周期Ｔの動作を繰り返す。この例では、汚れ判定部７０１は、第５の待機モードと同様に判定する。さらに、この例では第５の待機モードに対して、ファン起動時におけるセンサの誤検知（誤作動）を防止することができる。
【００４１】
報知部７０２は、上記の汚れの種類に基づいて、ユーザーに報知する。例えば、汚れの種類が排泄物であった場合、報知部７０２は、空気清浄装置１０１に設けられた表示部では報知せず、例えばユーザーが登録した所定の通信端末のみに表示させるようにしてもよい。これにより、例えば、赤ちゃんやペット、お年寄り等の寝たきりの被介護者などの世話をする上記登録したユーザーの通信端末に、おむつ交換のタイミング等を伝えることができる。そして、空気清浄装置１０１に設けられた表示部で報知しないことにより、特にお年寄り等の羞恥心を刺激することを回避することができる。
【００４２】
なお、上記報知部７０２は、上記に限定されるものではなく、例えば、汚れ検知手段が所定値以上の汚れを検知した場合、ユーザーに報知するように構成してもよい。また、報知方法としては、例えば、音声での報知、空気清浄装置１０１に設けられた表示部での報知、ネットワークを介したスマートフォン等のユーザーが登録した通信端末への表示等であってよい。また、報知方法は、例えばユーザーが設定できるようにしてもよい。
【００４３】
（第２の実施形態）
次に、本発明の第２の実施形態を説明する。なお、下記において第１の実施形態と同様である点については説明を省略する。
【００４４】
図９は、本実施形態における空気清浄装置１０１は、さらに、通信部９０１を有する。そして、空気清浄装置１０１は、例えば、ネットワーク９１０を介して、連携機器９２０と接続されている。ネットワーク１０２は、例えば、インターネットやBluetooth等に相当する。
【００４５】
連携機器９２０は、空気を循環させる機器であり、例えば、扇風機、エアコン、空気清浄装置等である。この連携機器９２０は、１または複数であり、上記空気清浄装置１０１と同じ空間に設置されている。
【００４６】
上記連携機器９２０は、空気清浄装置１０１と同様に、通信部９２１、ファン９２２、ニオイセンサ（連携機器汚れ情報検出手段）９２３、制御部９２４、記憶部９２５を有する。通信部９２１、ファン９２２、ニオイセンサ９２３、制御部９２４、記憶部９２５の主な構成は上記空気清浄装置１０１と同様であるので、説明を省略する。なお、上記連携機器９２０の構成は一例であって、上記に限定されるものではなく、上記各部の他に連携機器９２０に応じた各構成（例えば、エアコンであれば熱交換器等）を有する。
【００４７】
図１０は、本実施の形態における連携機器９２０の制御部９２４の機能的構成の一例について説明するための図である。図１０に示すように、連携機器９２０の制御部９２４は、例えば、連携機器側汚れ情報取得部１００１および連携機器側動作情報取得部１００２を有する。
【００４８】
連携機器側汚れ情報取得部１００１は、例えば、連携機器９２０のニオイセンサ９２３で検出された連携機器汚れ情報を取得する。そして、連携機器側汚れ情報取得部１００１は、通信部９２１、ネットワーク９１０を介して、空気清浄装置１０１にこの連携機器汚れ情報を送信する。
【００４９】
連携機器側動作情報取得部１００２は、例えば、連携機器９２０の動作状態を表す連携機器動作情報を取得する。この連携機器動作情報は、例えば、連携機器９２０のファン９２２が動作しているかいないかを表す情報である。そして、連携機器側動作情報取得部１００２は、通信部９２１、ネットワーク９１０を介して、空気清浄装置１０１にこの連携機器動作情報を送信する。
【００５０】
図１１は、本実施の形態における空気清浄装置１０１の制御部１０４の機能的構成の一例について説明するための図である。本実施形態の制御部１０４は、第１の実施形態の制御部において、更に連携機器動作情報取得部１１０１を含む。
【００５１】
連携機器動作情報取得部１１０１は、例えば、連携機器９２０から送信された連携機器動作情報を取得する。
【００５２】
汚れ情報取得部４０１は、連携機器９２０から送信された連携機器汚れ情報を取得する。
【００５３】
モード切替部４０２は、連携機器汚れ情報に基づいて、第１の実施形態と同様に、例えば、通常モードと、待機モードとを切替える。
【００５４】
運転制御部４０３は、連携機器動作情報に基づいて、通常モードまたは待機モードで運転する。より具体的には、運転制御部４０３は、待機モードにおいては、連携機器９２０のファン９２２が動作している場合に、ファン１０２を動作させずニオイセンサ１０３を制御する。
【００５５】
本実施形態によれば、連携機器が動作している場合には、連携機器９２０におけるファン９２２が空気清浄装置１０１におけるファン１０２の代わりとなって空気を循環させるため、ファン１０２を動作させない分の節電が可能となる。
【００５６】
なお、空気清浄装置１０１への連携機器動作情報の送信は、本実施形態ではネットワークを介して行っているが、例えば、連携機器９２０に動作指示を送信するリモコン等から直接空気清浄装置１０１に送信されるように構成してもよいし、連携機器９２０の動作を監視するサーバ等を介して送信されるように構成してもよい。
【００５７】
本発明は、上記実施の形態に限定されるものではなく、上記実施の形態で示した構成と実質的に同一の構成、同一の作用効果を奏する構成又は同一の目的を達成することができる構成で置き換えてもよい。
【符号の説明】
【００５８】
２  筐体、２ａ  開口部、３  吹出口、３ａ  風向板、４  吹出口、４ａ  風向板、５  操作部６  背面パネル、７  吸込口、８  表示部、９  送風路、１１  プレフィルタ、１２  清掃部、１３  脱臭フィルタ、１４  集塵フィルタ、１５  加湿部、１５ａ  トレイ、１５ｂ  加湿フィルタ、１７  イオン発生部、１０１  空気清浄装置、１０２  ファン（送風手段）、１０２ａ  ファンモータ、１０３  ニオイセンサ（汚れ情報検出手段）、１０４  制御部、１０５  記憶部、４０１  汚れ情報取得部、４０１  汚れ情報取得部、４０２  モード切替部、４０３  運転制御部、７０１  汚れ判定部、７０２  報知部、９０１  通信部、９１０  ネットワーク、９２０  連携機器、９２１  通信部、９２２  ファン、９２３  ニオイセンサ（連携機器汚れ情報検出手段）、９２４  制御部、９２５  記憶部、１００１  連携機器側汚れ情報取得部、１００２  連携機器側動作情報取得部、１１０１  連携機器動作情報取得部
【図１】
2020094750.tif 000003
【図２】
2020094750.tif 000004
【図３】
2020094750.tif 000005
【図４】
2020094750.tif 000006
【図５】
2020094750.tif 000007
【図６】
2020094750.tif 000008
【図７】
2020094750.tif 000009
【図８】
2020094750.tif 000010
【図９】
2020094750.tif 000011
【図１０】
2020094750.tif 000012
【図１１】
2020094750.tif 000013